(57)【要約】【課題】自動収納が可能であり、かつ簡単かつ容易に収納し、立設配置が可能であるばかりでなく、収納した状態で入浴中に頭をもたれて寄りかかる、いわゆるまくら風にも使用してゆったり気分に浸り疲れを癒すことができる断面トンネル形状の風呂蓋収納装置の提供。【解決手段】本考案の断面トンネル形状の風呂蓋収納装置は、浴槽１上の一端部に有する風呂蓋収納装置において、該風呂蓋収納装置は、断面トンネル形状の風呂蓋収納部３内に設けられた回動軸心５に一端が固定されており、他端は収納部外に保持されると共に、巻き込み防止取っ手を有する自由端からなる巻き取り可能な可撓性の風呂蓋２を有し、かつ前記風呂蓋収納部３は風呂蓋収納後、立設配置し得る。この立設配置機構が、レール３４を有する折曲用台板４０と該レール３４に係合し得る摺動可能な金具３６とからなり、該金具は収納部下面に設けられる。【選択図】    図１
0003137644.tif 000002
【実用新案登録請求の範囲】
【請求項１】
浴槽上の一端部に有する風呂蓋収納装置において、該風呂蓋収納装置は、断面トンネル形状の風呂蓋収納部の長手方向の壁の下部に風呂蓋引出し用スリットを有し、該収納部内に設けられた回動軸心に一端が固定されており、他端は、前記スリットから引き出されて収納部外に保持されると共に、巻き込み防止取っ手を有する自由端からなる巻き取り可能な可撓性の風呂蓋を有し、かつ前記風呂蓋収納部は風呂蓋収納後、立設配置し得ることを特徴とする風呂蓋収納装置。
【請求項２】
前記立設配置機構が、レールを有する折曲用台板と該レールに系合し得る摺動可能な金具とからなり、該金具は風呂蓋収納部下面に設けられることを特徴とする請求項１に記載の風呂蓋収納装置。
【請求項３】
前記固定用台板の裏面には固定部材を有し、かつ立設配置状態を保持するための係合部材を有することを特徴とする請求項１又は請求項２に記載の風呂蓋収納装置。
【考案の詳細な説明】
【技術分野】
【０００１】
本考案は、断面トンネル形状の風呂蓋収納装置に関し、更に詳しくは自動収納が可能であり、かつ簡単かつ容易に収納し、立設配置が可能であるばかりでなく、収納した状態で入浴中に頭をもたれてよりかかかる、いわゆるまくら風にも使用することができる断面トンネル形状の風呂蓋収納装置に関するものである。
【背景技術】
【０００２】
従来、浴槽には風呂蓋を有しており、入浴時には、この蓋を開けて入浴し、入浴後には蓋を閉めて置くのが通例であるが、通常、風呂蓋は、入浴時には一端を軸に丸めて浴槽の端において入浴するか、又は丸めた後取り外して洗い場の隅に置いておくなどするが、特にアパートや一部のマンションなどに設置された狭い浴室には、狭い浴槽が設置されている場合が多く、入浴時には風呂蓋の置き場所がなく邪魔になるという問題があった。このような問題を解決するために、従来は、入浴時に風呂蓋の置き場所として、浴槽のある浴室の一隅の壁に丸めた風呂蓋を収納し、風呂蓋に設けられた永久磁石が浴室の鋼板壁に張り付き風呂蓋を保持したり、鋼板壁に風呂蓋の一端に穴を設け、他端には永久磁石を設置しておき、この風呂蓋を２つに畳んで穴を通して壁に磁石を張り付けるなどすることが開示されている（例えば、特許文献１参照）。また浴槽に設けられた蛇腹構造の風呂蓋を支持手段で浴槽に回動可能に支持した浴槽が開示され、具体的には、前記回動手段で回動して起立させ、幅方向に広がった状態に保持するか又は起立させた後、締めた状態で保持するようにして入浴する風呂蓋が開示されている（例えば、特許文献２参照）。更に、風呂蓋を収納ケースに巻き取って収納する収納方式について開示され、これは、浴槽の風呂蓋を自動的に開閉する機構を有するものであって、具体的には、モーターを使用する電気式、機械式などで風呂蓋の開閉を行う方式が開示されている（例えば、特許文献３参照）。
【特許文献１】特開２００１−８７１５３（段落０００７、図１、図２、図６、図７）
【特許文献２】特開平９−３１３３７０（特許請求の範囲、段落００２２〜００２４）
【特許文献３】特開平１１−５６６６０（特許請求の範囲、段落０００６）
【考案の開示】
【考案が解決しようとする課題】
【０００３】
しかしながら、これらの特許文献に記載された風呂蓋は、いずれも十分でなく、特許文献１に開示された風呂蓋は、老人・子供にとっては扱いが面倒であり、また持ち上げるなど労力を有するものであり問題があった。また特許文献２に記載のものは、浴槽の奥に立てかける構造となっているため、風呂蓋の開閉時に腰をかがめ、かつ向こう側へ風呂蓋を立て掛けなければならないので、やはり老人・子供にとっては使用しづらいという問題があった。更に特許文献３に記載の風呂蓋は、風呂蓋を自動開閉できる点では好ましいが、狭い浴室に取付けるには余分なスペースを要するばかりか、蓋の巻き込み防止がなく、したがって、使用時に風呂蓋を収納ケースに捲き込んでしまう恐れがあるという問題があった。
【０００４】
そこで、本考案者は、上記の問題点について種々検討したところ、これらの問題点は、浴槽上の一端に設置しかつ立設配置するために、収納スペースをとらず、入浴時に全く邪魔にならないので、狭い浴室浴槽には極めて有効であり、しかも入浴中に頭をもたれてゆったり気分に浸り疲れを癒すことができることを見出し、本考案を成すに至った。
【０００５】
したがって、本考案が解決しようとする課題は、自動収納が可能であり、かつ簡単かつ容易に収納し、立設配置が可能であるばかりでなく、収納した状態で入浴中に頭をもたれて寄りかかる、いわゆるまくら風にも使用してゆったり気分に浸り疲れを癒すことができる断面トンネル形状の風呂蓋収納装置を提供することにある。
【課題を解決するための手段】
【０００６】
本考案の上記課題は、以下に示す各考案により達成される。
（１）浴槽上の一端部に有する風呂蓋収納装置において、該風呂蓋収納装置は、断面トンネル形状の風呂蓋収納部の長手方向の壁の下部に風呂蓋引出し用スリットを有し、該収納部内に設けられた回動軸心に一端が固定されており、他端は、前記スリットから引き出されて収納部外に保持されると共に、巻き込み防止取っ手を有する自由端からなる巻き取り可能な可撓性の風呂蓋を有し、かつ前記風呂蓋収納部は風呂蓋収納後、立設配置し得ることを特徴とする風呂蓋収納装置。
（２）前記立設配置機構が、レールを有する折曲用台板と該レールに系合し得る摺動可能な金具とからなり、該金具は風呂蓋収納部下面に設けられることを特徴とする前記第１項に記載の断面トンネル形状の風呂蓋収納装置。
（３）前記固定用台板の裏面には固定部材を有し、かつ立設配置状態を保持するための係合部材を有することを特徴とする前記第１項又は第２項に記載の断面トンネル形状の風呂蓋収納装置。
【考案の効果】
【０００７】
前記第１項に記載の断面トンネル形状の風呂蓋収納装置は、風呂蓋収納部の長手方向の壁の下部に風呂蓋引出し用スリットを有し、該収納部内に設けられた回動軸心に一端が固定されており、他端は、前記スリットから引き出されて収納部外に保持されると共に、巻き込み防止取っ手を有する自由端からなる巻き取り可能な可撓性の風呂蓋を有し、かつ前記風呂蓋収納部は風呂蓋収納後、立設配置し得ることにより、自動収納が可能であり、かつ簡単かつ容易に収納し、立設配置が可能であるばかりでなく、断面トンネル形状の風呂蓋収納室からなり、外形が丸みを帯びていることにより、収納した状態で入浴中に頭をもたれて寄りかかる、いわゆるまくら風にも使用してゆったり気分に浸り疲れを癒すことができるという優れた効果を奏するものである。前記第２項に記載の考案は、前記第１項に記載の断面トンネル形状の風呂蓋収納装置において、前記立設配置機構が、レールを有する折曲用台板と該レールに系合し得る摺動可能な金具とからなり、該金具は風呂蓋収納部下面に設けられることにより、立設配置が可能であるので、狭い浴室でも浴槽を広く使用することができ、快適に入浴することができるという優れた効果を奏するものである。前記第３項に記載の考案は、前記第１項又は第２項に記載の断面トンネル形状の風呂蓋収納装置において、前記固定用台板の裏面には固定部材を有し、かつ立設配置状態を保持するための係合部材を有することにより、立設配置した場合の不安定性を除去することができ、安心して入浴することができるという優れた効果を奏するものである。
【考案を実施するための最良の形態】
【０００８】
以下に、本考案係る実施の形態の最良のものについて説明するが、これは一例であってこれに限定されるものではない。
【０００９】
本考案の風呂蓋収納装置は、図１乃至図２に示されている如き構造からなるもので、図１は、浴槽に取付けた状態を示す斜視図であり、図２は、本考案の風呂蓋収納装置の平面図である。図１及び図２において、浴槽１の上面の端部に風呂蓋収納部３が、その下部に有する固定板３３を浴槽の上面縁に固定することにより設置される。この風呂蓋収納装置の外形は、長さ方向に対して直角方向の断面が、トンネル形状で上方が丸みを帯びている。この風呂蓋収納部３の下部には、スリット１２が設けられ、該スリット１２を通して風呂蓋２は収納されたり、また蓋を開けたり、引き出されたりする。このスリット１２に代
えて壁を下端から切り込んで切り込みによる隙間でもよい。前記風呂蓋収納部３内には、長手方向の軸心５を有し、該軸心の一端はモーター７の芯７１に接続されると共に、他端は側壁４２の受軸３１に嵌合している。風呂蓋２は、巻き取り可能な柔軟性を有しており、公知の巻き取り可能な柔軟性を有する風呂蓋であれば、特に限定されることなく使用することができる。このような柔軟性を有する風呂蓋２の一端が風呂蓋収納部３内の収納用の回動可能な軸心５に固定され、該軸心５に巻き取られて収納される。この際、風呂蓋２の他端には、棒状の巻き込み防止取っ手４を有し、スリット１２の厚みより厚く形成されており、風呂蓋２の収納時に巻き込み防止取っ手４がスリット１２に引っかかり収納が終了する。このような風呂蓋収納部３において、モーター７は、通常周知の可動機構によって可動されるが、一例を挙げれば、モーター７はスイッチ６を押し続けることによって可動され、停止は、スイッチ７を押すのを止めることによって停止する。したがって、巻き込み防止取っ手４がスリット１２の近傍に近づいたときに手を放すことにより停止する。またモーター７を使用するかわりに手でハンドルを廻す方式でもよい（周知慣用の手段であるので、特に図示せず。）。風呂蓋２を風呂蓋収納部３に収納した後、適宜入浴するが、その際、風呂蓋収納部３の上部は丸みを帯びているので、そこに頭を寄りかからせゆったり気分で入浴することができる。更に入浴後に、浴槽１に蓋２をする場合には、風呂蓋収納部３のスリット１２の傍にある巻き込み防止取っ手４を手で引張り出すことによって容易に蓋をすることができる。
【００１０】
また入浴時に、風呂蓋収納部３において、風呂蓋２を収納後、湯船を広く使用したいときには、風呂蓋収納部３を点線３ａで示されるように、立設配置することができる。この機構については、図３乃至図６に示す。図３は、屈曲可能な基板にレールを有する平面図である。図４は、図３の屈曲可能な基板の使用機構を示す側面図を示し、図５は、折り曲げ後、収納本体１２が固定されているところを示す断面図である。図６は、固定手段の係合関係を示す断面図である。図３乃至図６において、風呂蓋収納部３の下面には、系合金具３６を有し、この系合金具３６は、レール３４、３４と係合しかつ摺動可能に風呂蓋収納部３と折曲用台板４０と系合している（図４のｃ参照）。この折曲用台板４０は、固定用台板３２と台板３３とが蝶番３７で連結され、直角まで折り曲げることができるようになっている。この蝶番３７で連結された固定用台板３２と台板３３上には２本のレール３４、３４が平行かつ並列にそれぞれ設置され、両者は共に蝶番付近では、所定のスペース３９が設けられて配置されている。更に固定用台板３２の上面の端部に係合突起９１を有すると共にその裏面には、接着剤又は貼着剤３８を有し、浴槽１の上面縁１１に接着して固定する。このような折曲用台板４０を設けることにより、図５及び図６に示されるように、風呂蓋収納部３内に風呂蓋２を収納した後、風呂蓋収納部３を矢印方向へ引いてその端部が台板３３上に乗ったところで折り曲げて風呂蓋収納部３を立設する。その際、風呂蓋収納部３の端部に設けられている突起９２が固定用台板３２の端部に有する係合突起９１と係合して固定される。またこの係合突起９１と突起９２とによる係合部材に代えて突起９３と凹部９４とが係合する係合部材を使用してもよい。
【００１１】
本考案では、前述のモーターによる風呂蓋の開閉に代えて、バネ材とギヤを用いて開閉する開閉機構を用いることもできる。図７は、バネ材とギヤを用いた開閉部材機構を示す略図であり、図７のａは、その断面図であり、図７のｂは、ギヤ方向からみた略断面図である。図７において、軸芯７１には、ギヤ１４を有し、また風呂蓋２が巻かれて風呂蓋収納部３に収納されており、更に軸芯７１には、バネ部材１５が軸芯７１の両端に軸芯71の中心線にそって設けられている。ギア１４には、突起１３がスプリングバネ１７によりバネ方向に不勢している。また突起１３の基部にはレバー１６を有する。このような風呂蓋２の開閉機構は、風呂蓋２を矢印２１の方向に引っ張ると、ギア１４が矢印２２の方向へ回転し、風呂蓋２を引き出して蓋をすることができる。また風呂蓋２を開けるときは、レバー１６をバネの不勢方向へ矢印１７の方向へまわすと、突起１３はバネ方向へ回転してギヤの歯からはずれるので、ギヤ１４はバネ部材１５のねじれが戻る方向に作用し、ギヤ１
４は、矢印２２の方向とは逆方向に回転する。その結果、風呂蓋２は、軸芯７１に巻き取られることにより風呂蓋２は、開けられる。風呂蓋２が巻き取られたところでレバー１６を放す。バネ部材１５としては、特に限定されるものではなく、従来周知のバネ部材、即ち、ゴム状体、スプリングバネ、板バネ、渦巻状バネ等が用いられる。
【産業上の利用可能性】
【００１２】
本考案の風呂蓋収納装置は、自動収納が可能であり、かつ簡単かつ容易に収納し、立設配置が可能であるばかりでなく、収納した状態で入浴中に頭をもたれて寄りかかる、いわゆるまくら風に使用してゆったり気分に浸り疲れを癒すことができるので、アパートやワンルームマンションなどの狭い浴室の浴槽に広く使用される極めて有用な製品である。
【図面の簡単な説明】
【００１３】
【図１】本考案の風呂蓋収納装置を浴槽に取付けた状態を示す斜視図である。
【図２】本考案の風呂蓋収納装置の平面図である。
【図３】本考案に係る屈曲可能な基板にレールを有する平面図である。
【図４】図３の屈曲可能な基板の使用機構を示す側面図を示す。
【図５】本考案に係る、折り曲げ後、風呂蓋収納部が固定されているところを示す断面図である。
【図６】本考案に係る、固定手段の係合関係を示す断面図である。
【図７】バネ材とギヤを用いた開閉部材機構を示す略図である。
【符号の説明】
【００１４】
１  浴槽                                        ３３  台板
２  風呂蓋                                      ３４  レール
３、３ａ  風呂蓋収納部                          ３６  レール摺動部材
４  取っ手                                      ３７  蝶番
５  巻取り軸                                    ３８  点着剤又は接着剤
６  スイッチ                                    ３９  スペース
７  モーター                                    ４０  折曲用台板
７１  芯                                        ４１、４２  側壁
１１  縁                                        ９１  係合突起
１２  スリット                                  ９２、９３  突起
１３  突起                                      ９４  凹部
１４  ギヤ
１５  バネ部材
１６  レバー
１７  バネ
２１、２２  矢印
３１  軸受                                      
３２  固定用台板
【図１】
0003137644.tif 000003
【図２】
0003137644.tif 000004
【図３】
0003137644.tif 000005
【図４】
0003137644.tif 000006
【図５】
0003137644.tif 000007
【図６】
0003137644.tif 000008
【図７】
0003137644.tif 000009
【手続補正書】
【提出日】平成19年7月7日(2007.7.7)
【手続補正１】
【補正対象書類名】実用新案登録請求の範囲
【補正対象項目名】全文
【補正方法】変更
【補正の内容】
【実用新案登録請求の範囲】
【請求項１】
浴槽上の一端部に有する風呂蓋収納装置において、該風呂蓋収納装置は、断面トンネル形状の風呂蓋収納部の長手方向の壁の下部に風呂蓋引出し用スリットを有し、該収納部内に設けられた回動軸心に一端が固定されており、他端は、前記スリットから引き出されて収納部外に保持されると共に、巻き込み防止取っ手を有する自由端からなる巻き取り可能な可撓性の風呂蓋を有し、かつ前記風呂蓋収納部は風呂蓋収納後、立設配置し得る立設配置機構を有することを特徴とする風呂蓋収納装置。
【請求項２】
前記立設配置機構が、レールを有する折曲用台板と該レールに系合し得る摺動可能な金具とからなり、該金具は風呂蓋収納部下面に設けられることを特徴とする請求項１に記載の風呂蓋収納装置。
【請求項３】
前記固定用台板の裏面には固定部材を有し、かつ立設配置状態を保持するための係合部材を有することを特徴とする請求項１又は請求項２に記載の風呂蓋収納装置。
【手続補正２】
【補正対象書類名】明細書
【補正対象項目名】０００６
【補正方法】変更
【補正の内容】
【０００６】
本考案の上記課題は、以下に示す各考案により達成される。
（１）浴槽上の一端部に有する風呂蓋収納装置において、該風呂蓋収納装置は、断面トンネル形状の風呂蓋収納部の長手方向の壁の下部に風呂蓋引出し用スリットを有し、該収納部内に設けられた回動軸心に一端が固定されており、他端は、前記スリットから引き出されて収納部外に保持されると共に、巻き込み防止取っ手を有する自由端からなる巻き取り可能な可撓性の風呂蓋を有し、かつ前記風呂蓋収納部は風呂蓋収納後、立設配置し得る立設配置機構を有することを特徴とする風呂蓋収納装置。
（２）前記立設配置機構が、レールを有する折曲用台板と該レールに系合し得る摺動可能な金具とからなり、該金具は風呂蓋収納部下面に設けられることを特徴とする前記第１項に記載の断面トンネル形状の風呂蓋収納装置。
（３）前記固定用台板の裏面には固定部材を有し、かつ立設配置状態を保持するための係合部材を有することを特徴とする前記第１項又は第２項に記載の断面トンネル形状の風呂
蓋収納装置。
【手続補正３】
【補正対象書類名】明細書
【補正対象項目名】０００７
【補正方法】変更
【補正の内容】
【０００７】
前記第１項に記載の断面トンネル形状の風呂蓋収納装置は、風呂蓋収納部の長手方向の壁の下部に風呂蓋引出し用スリットを有し、該収納部内に設けられた回動軸心に一端が固定されており、他端は、前記スリットから引き出されて収納部外に保持されると共に、巻き込み防止取っ手を有する自由端からなる巻き取り可能な可撓性の風呂蓋を有し、かつ前記風呂蓋収納部は風呂蓋収納後、立設配置し得る立設配置機構を有することにより、自動収納が可能であり、かつ簡単かつ容易に収納し、立設配置が可能であるばかりでなく、断面トンネル形状の風呂蓋収納室からなり、外形が丸みを帯びていることにより、収納した状態で入浴中に頭をもたれて寄りかかる、いわゆるまくら風にも使用してゆったり気分に浸り疲れを癒すことができるという優れた効果を奏するものである。前記第２項に記載の考案は、前記第１項に記載の断面トンネル形状の風呂蓋収納装置において、前記立設配置機構が、レールを有する折曲用台板と該レールに系合し得る摺動可能な金具とからなり、該金具は風呂蓋収納部下面に設けられることにより、立設配置が可能であるので、狭い浴室でも浴槽を広く使用することができ、快適に入浴することができるという優れた効果を奏するものである。前記第３項に記載の考案は、前記第１項又は第２項に記載の断面トンネル形状の風呂蓋収納装置において、前記固定用台板の裏面には固定部材を有し、かつ立設配置状態を保持するための係合部材を有することにより、立設配置した場合の不安定性を除去することができ、安心して入浴することができるという優れた効果を奏するものである。
【手続補正４】
【補正対象書類名】明細書
【補正対象項目名】００１０
【補正方法】変更
【補正の内容】
【００１０】
また入浴時に、風呂蓋収納部３において、風呂蓋２を収納後、湯船を広く使用したいときには、風呂蓋収納部３を点線３ａで示されるように、立設配置することができる。この機構については、図３乃至図６に示す。図３は、屈曲可能な基板にレールを有する平面図である。図４は、図３の屈曲可能な基板の使用機構を示す側面図を示し、図５は、折り曲げ後、収納本体１２が固定されているところを示す断面図である。図６は、固定手段の係合関係を示す断面図である。図３乃至図６において、風呂蓋収納部３の下面には、レール３４を有する折曲用台板３２と該レールに３４系合し得る摺動可能な金具３６とからなり、該金具３６は風呂蓋収納部３の下面に設けられる立設配置機構を有し、前記系合金具３６は、レール３４、３４と係合しかつ摺動可能に風呂蓋収納部３と台板４０と系合している（図４のｃ参照）。この台板４０は、屈曲用台板３２と固定用台板３３とが蝶番３７で連結され、直角まで折り曲げることができるようになっている。この蝶番３７で連結された屈曲用台板３２と固定用台板３３上には２本のレール３４、３４が平行かつ並列にそれぞれ設置され、両者は共に蝶番付近では、所定のスペース３９が設けられて配置されている。更に固定用台板３２の上面の端部に係合突起９１を有すると共にその裏面には、接着剤又は貼着剤３８を有し、浴槽１の上面縁１１に接着して固定する。このような台板４０を設けることにより、図５及び図６に示されるように、風呂蓋収納部３内に風呂蓋２を収納した後、風呂蓋収納部３を矢印方向へ引いてその端部が屈曲用台板３２上に乗ったと
ころで折り曲げて風呂蓋収納部３を立設する。その際、風呂蓋収納部３の端部に設けられている突起９２が固定用台板３３の端部に有する係合突起９１と係合して固定される。またこの係合突起９１と突起９２とによる係合部材に代えて突起９３と凹部９４とが係合する係合部材を使用してもよい。
【手続補正５】
【補正対象書類名】明細書
【補正対象項目名】００１４
【補正方法】変更
【補正の内容】
【００１４】
１  浴槽                                        ３３  固定用台板
２  風呂蓋                                      ３４  レール
３、３ａ  風呂蓋収納部                          ３６  レール摺動部材
４  取っ手                                      ３７  蝶番
５  巻取り軸                                    ３８  点着剤又は接着剤
６  スイッチ                                    ３９  スペース
７  モーター                                    ４０  台板
７１  芯                                        ４１、４２  側壁
１１  縁                                        ９１  係合突起
１２  スリット                                  ９２、９３  突起
１３  突起                                      ９４  凹部
１４  ギヤ
１５  バネ部材
１６  レバー
１７  バネ
２１、２２  矢印
３１  軸受                                      
３２  屈曲用台板
【手続補正書】
【提出日】平成19年8月23日(2007.8.23)
【手続補正１】
【補正対象書類名】手続補正書
【補正対象項目名】手続補正１
【補正方法】変更
【補正の内容】
【手続補正１】
【補正対象書類名】実用新案登録請求の範囲
【補正対象項目名】全文
【補正方法】変更
【補正の内容】
【実用新案登録請求の範囲】
【請求項１】
浴槽上の一端部に有する風呂蓋収納装置において、該風呂蓋収納装置は、断面トンネル形状の風呂蓋収納部の長手方向の壁の下部に風呂蓋引出し用スリットを有し、該収納部内に設けられた回動軸心に一端が固定されており、他端は、前記スリットから引き出されて収納部外に保持されると共に、巻き込み防止取っ手を有する自由端からなる巻き取り可能な可撓性の風呂蓋を有し、かつ前記風呂蓋収納部は風呂蓋収納後、立設配置し得る立設配置機構を有することを特徴とする風呂蓋収納装置。
【請求項２】
前記立設配置機構が、レールを有する固定用台板及び折曲用台板を有し、更に該レールに系合し得る摺動可能な金具を有し、該金具は風呂蓋収納部下面に設けられることを特徴とする請求項１に記載の風呂蓋収納装置。
【請求項３】
前記固定用台板の裏面には固定部材を有し、かつ立設配置状態を保持するための係合部材を有することを特徴とする請求項１又は請求項２に記載の風呂蓋収納装置。
【手続補正２】
【補正対象書類名】手続補正書
【補正対象項目名】手続補正２
【補正方法】変更
【補正の内容】
【手続補正２】
【補正対象書類名】明細書
【補正対象項目名】０００６
【補正方法】変更
【補正の内容】
【０００６】
本考案の上記課題は、以下に示す各考案により達成される。
（１）浴槽上の一端部に有する風呂蓋収納装置において、該風呂蓋収納装置は、断面トンネル形状の風呂蓋収納部の長手方向の壁の下部に風呂蓋引出し用スリットを有し、該収納部内に設けられた回動軸心に一端が固定されており、他端は、前記スリットから引き出されて収納部外に保持されると共に、巻き込み防止取っ手を有する自由端からなる巻き取り可能な可撓性の風呂蓋を有し、かつ前記風呂蓋収納部は風呂蓋収納後、立設配置し得る立設配置機構を有することを特徴とする風呂蓋収納装置。
（２）前記立設配置機構が、レールを有する固定用台板及び折曲用台板を有し、更に該レールに系合し得る摺動可能な金具を有し、該金具は風呂蓋収納部下面に設けられることを特徴とする前記第１項に記載の断面トンネル形状の風呂蓋収納装置。
（３）前記固定用台板の裏面には固定部材を有し、かつ立設配置状態を保持するための係合部材を有することを特徴とする前記第１項又は第２項に記載の断面トンネル形状の風呂蓋収納装置。
【手続補正３】
【補正対象書類名】手続補正書
【補正対象項目名】手続補正３
【補正方法】変更
【補正の内容】
【手続補正３】
【補正対象書類名】明細書
【補正対象項目名】０００７
【補正方法】変更
【補正の内容】
【０００７】
前記第１項に記載の断面トンネル形状の風呂蓋収納装置は、風呂蓋収納部の長手方向の壁の下部に風呂蓋引出し用スリットを有し、該収納部内に設けられた回動軸心に一端が固定されており、他端は、前記スリットから引き出されて収納部外に保持されると共に、巻き込み防止取っ手を有する自由端からなる巻き取り可能な可撓性の風呂蓋を有し、かつ前記風呂蓋収納部は風呂蓋収納後、立設配置し得る立設配置機構を有することにより、自動収納が可能であり、かつ簡単かつ容易に収納し、立設配置が可能であるばかりでなく、断面トンネル形状の風呂蓋収納室からなり、外形が丸みを帯びていることにより、収納した状態で入浴中に頭をもたれて寄りかかる、いわゆるまくら風にも使用してゆったり気分に浸り疲れを癒すことができるという優れた効果を奏するものである。前記第２項に記載の考案は、前記第１項に記載の断面トンネル形状の風呂蓋収納装置において、前記立設配置機構が、レールを有する固定用台板及び折曲用台板を有し、更に該レールに系合し得る摺動可能な金具を有し、該金具は風呂蓋収納部下面に設けられることにより、立設配置が可能であるので、狭い浴室でも浴槽を広く使用することができ、快適に入浴することができるという優れた効果を奏するものである。前記第３項に記載の考案は、前記第１項又は第２項に記載の断面トンネル形状の風呂蓋収納装置において、前記固定用台板の裏面には固定部材を有し、かつ立設配置状態を保持するための係合部材を有することにより、立設配置した場合の不安定性を除去することができ、安心して入浴することができるという優れた効果を奏するものである。
【手続補正書】
【提出日】平成19年10月3日(2007.10.3)
【手続補正１】
【補正対象書類名】手続補正書
【補正対象項目名】手続補正１
【補正方法】変更
【補正の内容】
【手続補正１】
【補正対象書類名】実用新案登録請求の範囲
【補正対象項目名】請求項３
【補正方法】変更
【補正の内容】
【請求項３】
前記固定用台板の裏面には固定部材を有し、かつ立設配置状態を保持するための係合部材を有することを特徴とする請求項２に記載の風呂蓋収納装置。
【手続補正２】
【補正対象書類名】手続補正書
【補正対象項目名】手続補正２
【補正方法】変更
【補正の内容】
【手続補正２】
【補正対象書類名】明細書
【補正対象項目名】０００６
【補正方法】変更
【補正の内容】
【０００６】
本考案の上記課題は、以下に示す各考案により達成される。
（１）浴槽上の一端部に有する風呂蓋収納装置において、該風呂蓋収納装置は、断面トンネル形状の風呂蓋収納部の長手方向の壁の下部に風呂蓋引出し用スリットを有し、該収納部内に設けられた回動軸心に一端が固定されており、他端は、前記スリットから引き出されて収納部外に保持されると共に、巻き込み防止取っ手を有する自由端からなる巻き取り可能な可撓性の風呂蓋を有し、かつ前記風呂蓋収納部は風呂蓋収納後、立設配置し得る立設配置機構を有することを特徴とする風呂蓋収納装置。
（２）前記立設配置機構が、レールを有する固定用台板及び折曲用台板を有し、更に該レールに系合し得る摺動可能な金具を有し、該金具は風呂蓋収納部下面に設けられることを特徴とする前記第１項に記載の断面トンネル形状の風呂蓋収納装置。
（３）前記固定用台板の裏面には固定部材を有し、かつ立設配置状態を保持するための係
合部材を有することを特徴とする前記第２項に記載の断面トンネル形状の風呂蓋収納装置。
【手続補正３】
【補正対象書類名】手続補正書
【補正対象項目名】手続補正３
【補正方法】変更
【補正の内容】
【手続補正３】
【補正対象書類名】明細書
【補正対象項目名】０００７
【補正方法】変更
【補正の内容】
【０００７】
前記第１項に記載の断面トンネル形状の風呂蓋収納装置は、風呂蓋収納部の長手方向の壁の下部に風呂蓋引出し用スリットを有し、該収納部内に設けられた回動軸心に一端が固定されており、他端は、前記スリットから引き出されて収納部外に保持されると共に、巻き込み防止取っ手を有する自由端からなる巻き取り可能な可撓性の風呂蓋を有し、かつ前記風呂蓋収納部は風呂蓋収納後、立設配置し得る立設配置機構を有することにより、自動収納が可能であり、かつ簡単かつ容易に収納し、立設配置が可能であるばかりでなく、断面トンネル形状の風呂蓋収納室からなり、外形が丸みを帯びていることにより、収納した状態で入浴中に頭をもたれて寄りかかる、いわゆるまくら風にも使用してゆったり気分に浸り疲れを癒すことができるという優れた効果を奏するものである。前記第２項に記載の考案は、前記第１項に記載の断面トンネル形状の風呂蓋収納装置において、前記立設配置機構が、レールを有する固定用台板及び折曲用台板を有し、更に該レールに系合し得る摺動可能な金具を有し、該金具は風呂蓋収納部下面に設けられることにより、立設配置が可能であるので、狭い浴室でも浴槽を広く使用することができ、快適に入浴することができるという優れた効果を奏するものである。前記第３項に記載の考案は、前記第２項に記載の断面トンネル形状の風呂蓋収納装置において、前記固定用台板の裏面には固定部材を有し、かつ立設配置状態を保持するための係合部材を有することにより、立設配置した場合の不安定性を除去することができ、安心して入浴することができるという優れた効果を奏するものである。